(57)【要約】【課題】電子文書自体は装置の能力に非依存な形態でありつつ、表示装置、出力装置ごとに必要十分な容量のデータオブジェクトを配布する方法を提供することを目的とする。【解決手段】回線を介して電子文書表示装置または電子文書出力装置に相互に接続される電子文書データ配送サーバであって、電子文書表示装置からのデータ配送要求を受け付ける手段と、上記データ配送要求に対し要求されたデータを電子文書表示装置に送信する手段とを備える。【選択図】        図１
2005018526.tif 000002
【特許請求の範囲】
【請求項１】
回線を介して電子文書表示装置または電子文書出力装置に相互に接続される電子文書データ配送サーバであって、
電子文書表示装置からのデータ配送要求を受け付ける手段と
上記データ配送要求に対し、要求されたデータを電子文書表示装置に送信する手段と
を備えることを特徴とする電子文書データ配送サーバ。
【請求項２】
上記データ配送要求に付加されたパラメータを取得する手段と
取得したパラメータにしたがって、要求されたデータを変換する手段と
を備える
請求項１に記載の電子文書データ配送サーバ。
【請求項３】
上記データ配送要求に付加されたパラメータは、
画像サイズと
表示・出力装置に入力すべき色空間と
表示・出力装置の表現可能な階調と
であり、
上記パラメータを用いて画像データを変換する手段
を備えることを特徴とする請求項２に記載の電子文書データ配送サーバ。
【請求項４】
回線を介して電子文書データ配送サーバに相互に接続される電子文書表示装置であって、
電子文書データ中に記述された外部データへの参照を用いて、上記データ配送サーバにデータ送信を要求する手段と
要求したデータを受信し、表示する手段と
を備えることを特徴とする電子文書表示装置。
【請求項５】
上記データ配送サーバへのデータ送信要求に、パラメータを付加する手段
を備えることを特徴とする請求項４に記載の電子文書表示装置。
【請求項６】
上記データ配送サーバへのデータ送信要求に付加するパラメータは
上記要求したデータが表示される際に装置座標系で占有する画像サイズと
表示装置に入力すべき色空間と
表示装置の表現可能な階調と
であり
上記パラメータを自動的に算出しデータ送信要求に付加する手段
を備えることを特徴とする請求項５に記載の電子文書表示装置。
【請求項７】
上記パラメータを自動的に付加しないことをユーザーが選択可能とする手段と
上記パラメータをユーザーが調整可能とする手段と
を備えることを特徴とする請求項６に記載の電子文書表示装置。
【請求項８】
回線を介して電子文書データ配送サーバに相互に接続される電子文書出力装置であって、
電子文書データ中に記述された外部データへの参照を用いて、上記データ配送サーバにデータ送信を要求する手段と
要求したデータを受信し、出力する手段と
を備えることを特徴とする電子文書出力装置。
【請求項９】
上記データ配送サーバへのデータ送信要求に、パラメータを付加する手段
を備えることを特徴とする請求項８に記載の電子文書出力装置。
【請求項１０】
上記データ配送サーバへのデータ送信要求に付加するパラメータは
上記要求したデータが出力される際に装置座標系で占有する画像サイズと
出力装置に入力すべき色空間と
出力装置の表現可能な階調と
であり
上記パラメータを自動的に算出しデータ送信要求に付加する手段
を備えることを特徴とする請求項９に記載の電子文書出力装置。
【請求項１１】
上記パラメータを自動的に付加しないことをユーザーが選択可能とする手段と
上記パラメータをユーザーが調整可能とする手段と
を備えることを特徴とする請求項１０に記載の電子文書出力装置。
【発明の詳細な説明】
【０００１】
【発明の属する技術分野】
本発明は電子文書配送サーバ、電子文書表示装置、電子文書出力装置に関し、特に、画像付き電子文書データを通信回線を通して伝送する方法に関する。
【０００２】
【従来の技術】
従来、電子文書を配布する際に表示装置、出力装置の表現能力を意識する必要の無いデータ形式として、ＰｏｓｔＳｃｒｉｐｔや、ＰＤＦといったデータフォーマットが用いられていた。
【０００３】
これらのデータフォーマットでは、文書データ中では装置非依存の座標系をもちいたページ記述がなされ、対応する表示装置や出力装置での処理において装置依存の座標系への変換を行っている。そのため、電子文書中に画像データが含まれる場合でも、その出力解像度に関して文書作成者が意識する必要は無く、表示装置、出力装置での処理において解像度変換が行われていた。
【０００４】
一方、電子文書が画像などのデータを含んでいる場合に、その電子文書がデータオブジェクトの実体を保持するのではなく、データオブジェクトへの参照を記述することで、電子文書の軽量化、サーバ負荷の軽減、文書更新の簡素化などを実現する技術もある。特許文献１参照。
【０００５】
【特許文献１】
特開平１１−００７３６５号公報
【０００６】
【発明が解決しようとする課題】
しかしながら、ＰｏｓｔＳｃｒｉｐｔやＰＤＦのデータは、高品位印刷のために作られていることが多く、上記の電子文書をインターネットなどをもちいて配布すると、通信回線の性能によっては伝送に多大な時間と通信費がかかってしまう。また、せっかくダウンロードした高品位データであっても、低解像度のＣＲＴデバイスでの表示や、白黒のプリンタでの出力では、データ中の多くの情報が無駄になってしまう。
【０００７】
電子文書がデータオブジェクトの実体ではなく参照をもつ形態である場合は、電子文書自体は小容量であっても、すべての情報を表示、出力するためには大容量のデータオブジェクトをダウンロードしなければならない。
【０００８】
本発明は、上述の問題点にかんがみ、電子文書自体は装置の能力に非依存な形態でありつつ、表示装置、出力装置ごとに必要十分な容量のデータオブジェクトを配布する方法を提供することを目的とする。
【０００９】
【課題を解決するための手段】
本発明の電子文書データ配送サーバは回線を介して電子文書表示装置または電子文書出力装置に相互に接続され上記電子文書データ配送サーバは、電子文書表示装置からのデータ配送要求を受け付ける手段と上記データ配送要求に対し、要求されたデータを電子文書表示装置に送信する手段とを備えることを特徴としている。
【００１０】
上記データ配送要求に付加されたパラメータを取得する手段と取得したパラメータにしたがって、要求されたデータを変換する手段とを備える。
【００１１】
また、上記データ配送要求に付加されたパラメータは、画像サイズと表示・出力装置に入力すべき色空間と表示・出力装置の表現可能な階調とであり、上記電子文書データ配送サーバは上記パラメータを用いて画像データを変換する手段
を備えることを特徴とする。
【００１２】
また、本発明の電子文書表示装置および電子文書出力装置は、回線を介して電子文書データ配送サーバに相互に接続され、電子文書データ中に記述された外部データへの参照を用いて、上記データ配送サーバにデータ送信を要求する手段と要求したデータを受信し、表示・出力する手段とを備えることを特徴とする。
【００１３】
また、上記電子文書表示装置および電子文書出力装置は、上記データ配送サーバへのデータ送信要求に、パラメータを付加する手段を備えることを特徴とする。
【００１４】
また、上記データ配送サーバへのデータ送信要求に付加するパラメータは上記要求したデータが表示・出力される際に装置座標系で占有する画像サイズと表示・出力装置に入力すべき色空間と表示・出力装置の表現可能な階調とであり表示・出力装置は、パラメータを自動的に算出し付加する手段を備えることを特徴とする。
【００１５】
また、上記パラメータを自動的に付加しないことをユーザーが選択可能とする手段と上記パラメータをユーザーが調整可能とする手段とを備えることを特徴とする。
【００１６】
（作用）
本発明は上記技術手段を有するので、上記電子文書データ配送サーバは、電子文書表示装置からのデータ配送要求を受け付けることと上記データ配送要求に対し、要求されたデータを電子文書表示装置に送信することとが可能になる。
【００１７】
また、本発明の他の特徴によれば、上記電子文書データ配送サーバは、上記データ配送要求に付加されたパラメータを取得することと取得したパラメータにしたがって、要求されたデータを変換することとが可能になる。
【００１８】
また、本発明の他の特徴によれば、上記データ配送要求に付加されたパラメータは、画像サイズと表示・出力装置に入力すべき色空間と表示・出力装置の表現可能な階調とであり、上記電子文書データ配送サーバは上記パラメータを用いて画像データを変換することが可能になる。
【００１９】
また、本発明の他の特徴によれば、上記電子文書表示装置および電子文書出力装置は、電子文書データ中に記述された外部データへの参照を用いて、上記データ配送サーバにデータ送信を要求することと要求したデータを受信し、表示・出力することとが可能になる。
【００２０】
また、本発明の他の特徴によれば、上記電子文書表示装置および電子文書出力装置は、上記データ配送サーバへのデータ送信要求に、パラメータを付加することが可能になる。
【００２１】
また、本発明の他の特徴によれば、上記データ配送サーバへのデータ送信要求に付加するパラメータは上記要求したデータが表示・出力される際に装置座標系で占有する画像サイズと表示・出力装置に入力すべき色空間と表示・出力装置の表現可能な階調とであり表示・出力装置は、パラメータを自動的に算出し付加することが可能になる。
【００２２】
また、本発明の他の特徴によれば、上記電子文書表示装置および電子文書出力装置は、上記パラメータを自動的に付加しないことをユーザーが選択可能とすることと上記パラメータをユーザーが調整可能とすることとが可能になる。
【００２３】
【発明の実施の形態】
以下、添付図面を参照しながら本発明の電子文書データ配送サーバ、電子文書データ表示装置、電子文書データ出力装置の実施形態を説明する。
【００２４】
（本発明の実施形態）
図１は、本発明の電子文書配送サーバ、電子文書データ表示装置、電子文書データ出力装置、およびそれらを接続する通信回線の一例を示す図である。
【００２５】
図１において、１０１はインターネットを表している。本実施形態中におけるデータの移動はすべてインターネット１０１上でのインターネットプロトコルを用いて行われている。
【００２６】
１０２は、電子文書データ配送サーバであり、内蔵するネットワークインタフェースを通してインターネット１０１に接続され、要求された電子文書データの送信および要求された画像データの変換などの処理を行う。
【００２７】
１０３は、電子文書表示装置として機能するパーソナルコンピユータであり、内蔵するネットワークインタフェースを通してインターネット１０１に接続され、受信した電子文書データの表示および、上記電子文書データ配送サーバ１０２に対する画像データの送信要求等をおこなう。
【００２８】
１０４は、電子文書出力装置として機能するプリンタであり、内蔵するネットワークインタフェースを通してインターネット１０１に接続され、受信した電子文書データの紙媒体への出力および、上記電子文書データ配送サーバ１０２に対する画像データの送信要求等をおこなう。
【００２９】
図２は、電子文書データ中で画像データへの参照を記述する際の、記述様式の一例を示す図である。
【００３０】
２０１は、このデータが、電子文書表示装置または電子文書出力装置からの要求にしたがい電子文書データ配送サーバによって生成、送信される画像データ形式であることを示す辞書値である。
【００３１】
２０２は、この画像データを電子文書データ配送サーバに要求する際に、表示・出力装置の能力に応じた画像データ属性を用いるかどうかを、データ要求時にユーザーに確認するか否かを示す、辞書キーと辞書値である。／Ｃｏｎｆｉｌｍがｆａｌｓｅであれば、ユーザーに確認することなく、自動的に表示・出力装置の能力に応じた画像データを生成・送信することを電子文書データ配送サーバに要求する。／Ｃｏｎｆｉｌｍがｔｒｕｅであれば、自動的にデータ要求をする前にユーザーに確認をおこなうことにより、高解像度デバイスが自動的に大容量画像データを要求するような場合に、デフォルトの画像をユーザーが選択することを可能にする。
【００３２】
２０３から２０６は、表示・出力装置の能力に応じたデータ要求をしないことをユーザーが選択した場合に用いられる、画像データ辞書のデフォルト値である。２０３は画像の幅、２０４は画像の高さ、２０５は画像の階調性をしめすビット数、２０６は画像データの色空間をそれぞれ示す。２０７は画像データを電子文書データ配送サーバに要求する際に必要となるデータ転送プロトコル、インターネット上でのサーバの所在地およびサーバ内での画像変換プログラムの所在をまとめてしめすＵＲＬである。
【００３３】
図３は、画像データを電子文書データ配送サーバに要求する際に、実際に使用される引数付きＵＲＬの一例を示している。疑問符以下が、表示・出力装置によって決定され、電子文書データ配送サーバに要求された画像データ属性である。Ｗは画像の幅、Ｈは画像の高さ、ＢＣＰは画像の階調性をしめすビット数、ＣＳは色空間を示す製数値をそれぞれ示している。図４はＣＳの値と色空間の対応を示す図である。
【００３４】
ＷおよびＨの値は、表示・出力装置のデバイス座標系での画像サイズから決定される。本実施例では表示・出力装置のページ生成処理において、画像データの描画処理は、ユーザー座標系での単位正方形をカレント変換行列（ＣＴＭ）を用いてデバイス座標系に変換し、画像を生成するような処理系を考える。ＣＴＭは２次元アフィン変換に必要な６つの要素からなる行列であり、ＰｏｓｔＳｃｒｉｐｔやＰＤＦと同様の［ａ  ｂ  ｃ  ｄ  Ｔｘ  Ｔｙ］という形式で表現される。
【００３５】
本実施例ではデバイス座標での画像のサイズを算出するにあたり、画像のスキュー変換を無視し近似的にＷ＝（ａ２＋ｃ２）１／２  Ｈ＝（ｂ２＋ｄ２）１／２としている。
【００３６】
ＢＣＰの値は、表示・出力装置が表現可能な階調をビット数であらわす数値から決定される。
【００３７】
ＣＳの値は、表示・出力装置の出力色空間から決定される。
【００３８】
電子文書表示装置もしくは電子文書出力装置は、ページ生成処理においてページ記述解析中に電子文書データ中に図２で示される画像データ記述様式を見つけると、その画像データは解析中の電子文書データ中には存在せず、電子文書データ配送サーバに要求する必要があることを認識する。しかし上記画像データが描画時に用いるＣＴＭは実際にページメモリ上に画像データが生成されるまで決定できない。そのため、電子文書データ配送サーバに対する画像データ要求は、画像データがメモリ上に描画されるときに行われる。その際には、電子文書表示装置もしくは電子文書出力装置は、ＨＴＴＰをもちいてデータ要求を行う。その際に、画像データのデバイス座標上での幅、高さのサイズをＣＴＭから計算し、同時にデバイスの色空間、デバイスの表現階調数をＵＲＬ引数としてＨＴＴＰ要求に付加する。
【００３９】
図５は、本発明の電子文書データ配送サーバにおける処理の一例を示すフローチャートである。
【００４０】
電子文書データ配送サーバは、電子文書表示装置または電子文書出力装置からのＨＴＴＰ接続要求を受信すると、ステップＳ５０１において、ＨＴＴＰ接続をオープンする。ステップＳ５０２では、電子文書表示装置または電子文書出力装置からのＨＴＴＰ要求を受信する。このＨＴＴＰ要求には、図３に示すＵＲＬ中のサーバ内での画像変換プログラムと引数が含まれている。
【００４１】
ステップＳ５０３では、ＨＴＴＰ要求中の画像変換プログラムを起動する。この画像変換プログラムは、所定の画像データに対し、与えられた引数を用いて、サイズ、色空間、階調の変換を行う。ステップＳ５０４では、引数にＢＣＰの値があるかを判断し、ＢＣＰの指定があった場合にはステップＳ５０５にて画像の階調を変更する。ステップＳ５０６では、引数にＣＳの値があるかを判断し、ＣＳの指定があった場合には、ステップＳ５０７にて指定された色空間への変換を行う。ステップＳ５０８では、引数にＨもしくはＷの指定があるかを判断し、ＨもしくはＷの指定があった場合には、ステップＳ５０９にて画像を指定のサイズにアップサンプリング／ダウンサンプリングする。
【００４２】
ステップＳ５１０では、接続元の電子文書表示装置または電子文書出力装置へ、ＨＴＴＰ応答を送信する。このＨＴＴＰ応答には、上記ステップＳ５０４〜Ｓ５０９において生成された画像データが含まれている。ＨＴＴＰ応答を送信し終わると、ステップＳ５１１にてＨＴＴＰ接続をクローズする。
【００４３】
図６は、本発明の電子文書データ配送サーバおよび電子文書表示装置の一例を示すのに好適なコンピュータの構成を示す図である。
【００４４】
図６において、１２００はコンピユータＰＣである。ＰＣ１２００は、ＣＰＵ１２０１を備え、ＲＯＭ１２０２またはハードディスク（ＨＤ）１２１１に記憶された、あるいはフロッピー（登録商標）ディスクドライブ（ＦＤ）１２１２より供給される制御ソフトウェアを実行し、システムバス１２０４に接続される各装置を総括的に制御する。上記ＰＣ１２００のＣＰＵ１２０１、ＲＯＭ１２０２またはハードディスク（ＨＤ）１２１１に記憶されたプログラムにより、上述した実施形態の各処理が実行される。
【００４５】
１２０３はＲＡＭで、ＣＰＵ１２０１の主メモリ、ワークエリア等として機能する。
【００４６】
１２０５はキーボードコントローラ（ＫＢＣ）で、キーボード（ＫＢ）１２０９等からの入力を制御する。
【００４７】
１２０６はＣＲＴコントローラ（ＣＲＴＣ）で、ＣＲＴディスプレイ（ＣＲＴ）１２１０の表示を制御する。１２０７はディスクコントローラ（ＤＫＣ）で、ブートプログラム（起動プログラム：パソコンのハードやソフトの実行（動作）を開始するプログラム）、複数のアプリケーション、ユーザファイルそしてネットワーク管理プログラム等を記憶するハードディスク（ＨＤ）１２１１、及びフロッピー（登録商標）ディスク（ＦＤ）１２１２とのアクセスを制御する。
【００４８】
１２０８はネットワークインタフエースカード（ＮｌＣ）で、ＬＡＮ１２２０を介して、他のネットワーク機器、あるいは他のＰＣと双方向のデータのやり取りを行う。
【００４９】
図７は、本発明の実施例の画像出力装置の一例を示すのに好適な、画像入出力システムの全体構成をしめす図である。
【００５０】
リーダー部（画像入力装置）２００は、原稿画像を光学的に読み取り、画像データに変換する。リーダー部２００は、原稿を読み取るための機能を持つスキャナユニット２１０と、原稿用紙を搬送するための機能を持つ原稿給紙ユニット２５０とで構成される。
【００５１】
プリンタ部（画像出力装置）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙を機外へ出力する機能を持つ排紙ユニット３３０、及びステイプル処理、ソート処理を行うフィニッシャ部５００とで構成される。
【００５２】
制御装置１１０は、リーダー部２００、プリンタ部３００と電気的に接続され、さらにネットワーク４００を介して、ホストコンピュータ４０１，４０２と接続されている。
【００５３】
制御装置１１０は、リーダー部２００を制御して、原稿の画像データを読込み、プリンタ部３００を制御して画像データを記録用紙に出力してコピー機能を提供する。また、リーダー部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能、を提供する。
【００５４】
操作部１５０は、制御装置１１０に接続され、液晶タッチパネルで構成され、画像入出力システムを操作するためのユーザーＩ／Ｆを提供する。
【００５５】
図８はリーダー部２００及びプリンタ部３００の断面図である。リーダー部の原稿給送ユニット２５０は原稿を先頭順に１枚ずつプラテンガラス２１１上へ給送し、原稿の読み取り動作終了後、プラテンガラス２１１上の原稿を排出トレイ２１９に排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６、及びレンズ２１７によってＣＣＤイメージセンサ（以下ＣＣＤという）２１８へ導かれる。このように、走査された原稿の画像はＣＣＤ２１８によって読み取られる。ＣＣＤ２１８から出力される画像データは、所定の処理が施された後、制御装置１１０へ転送される。
【００５６】
プリンタ部３００のレーザドライバ３２１はレーザ発光部３２２を駆動するものであり、制御装置１１０から出力された画像データに応じたレーザ光をレーザ発光部３２２に発光させる。このレーザ光は感光ドラム３２３に照射され、感光ドラム３２３にはレーザ光に応じた潜像が形成される。この感光ドラム３２３の潜像の部分には現像器３２４によって現像剤が付着される。
【００５７】
そして、レーザ光の照射開始と同期したタイミングで、カセット３１１、カセット３１２、カセット３１３、カセット３１４、手差し給紙段３１５のいずれかから記録紙を給紙し、転写部３２５へ搬送路３３１によって、感光ドラム３２３に付着された現像剤を記録紙に転写する。現像剤の乗った記録紙は搬送ベルト３２６によって、定着部３２７に搬送され、定着部３２７の熱と圧力により現像剤は記像紙に定着される。その後、定着部３２７を通過した記録紙は搬送路３３５、搬送路３３４を通り、排出される。あるいは、印字面を反転して排出する場合には、搬送路３３６、搬送路３３８まで導かれ、そこから記録紙を逆方向に搬送し、搬送路３３７、搬送路３３４を通る。
【００５８】
また、両面記録が設定されている場合は、定着部３２７を通過したあと、搬送路３３６からフラッパ３２９によって、搬送路３３３に記録紙は導かれ、その後記録紙を逆方向に搬送し、フラッパ３２９によって、搬送路３３８、再給紙搬送路３３２へ導かれる。再給紙搬送路３３２へ導かれた記録紙は上述したタイミングで搬送路３３１を通り、転写部３２５へ給紙される。
【００５９】
搬送路３３４より排出された記録紙はフィニッシャ部５００へ搬送される。
【００６０】
搬送された記録紙はまずバッファユニット５０１へ送られる。ここでは場合に応じて搬送されてきた記録紙をバッファローラに巻きつけてバッファリングする。例えばこの下流で行われるステイプル等処理に時間がかかる場合は、このバッファユニットを利用することによって本体から搬送されてくる記録紙の搬送速度を一定に保つことができ、スループットの向上に役立たせることが可能である。
【００６１】
記録紙はこの後上流排出ローラ対５０２、下流排出ローラ対５０３でスタックトレイ５０７ａに排出される。
【００６２】
ステイプルモードの場合は上流排出ローラ対５０２で搬送され記録紙後端がこれを抜けた直後、ローレットベルト５０４によって引き戻され、ステイプルトレイ５０５に排出される。
【００６３】
そして所定の枚数分記録紙が積載されたあと、ステイプルユニット５０６によってステイプル処理が行われた後に、下流排出ローラ対５０３により排出トレイ５０７ａに排出される。
【００６４】
なお排出トレイは５０７ａ，５０７ｂの２ビンを有し、これらは連動して不図示の駆動ユニットにより上下に移動させることが可能である。
【００６５】
図２においては排出トレイ５０７ａに記録紙が排出される位置にあるが、これを上方向に移動して排出トレイ５０７ｂに排出させることも可能である。
【００６６】
また、インサートユニット５１０が装着されている場合には、インサートユニットから供給される用紙は、通常の記録紙とは異なり現像器を通過することなく、給紙ローラ５１１および５１２を経由してフィニッシャに直接排出することが可能になる。
【００６７】
続いて図９を用いて操作部１５０について説明する。
【００６８】
６００はＬＣＤタッチパネルであり、主なモード設定、状況表示はここで行われる。６０１は０〜９までの数値を入力するためのテンキーである。６０２はＩＤキーであり、装置が部門管理されている場合に部門番号と暗礁モードを入力する際に使用されるものである。
【００６９】
６０３は設定されたモードをリセットするためのリセットキー、６０４は各モードについての説明画面を表示するためのガイドキー、６０５はユーザーモード画面に入るためのユーザーモードキー、６０６は割り込みコピーを行うための割り込みキーになっている。
【００７０】
６０７はコピー動作をスタートさせるためのスタートキー、６０８は実行中のコピージョブを中止させるためのストップキーである。
【００７１】
６０９はソフト電源ＳＷであり、押下することによりＬＣＤ６００のバックライトが消え装置は低電力状態に落ちる。６１０は節電キーであり、これを押下することで節電状態に入り、再度押下することで節電状態から復帰する。
【００７２】
６１１、６１２、６１３はコピー、ボックス、拡張機能に移行させるためのファンクションキーである。図３ではコピーの標準画面が表示された状態であり、他のファンクションキー６１２，６１３を押下することでそれぞれの機能の標準画面が表示される。
【００７３】
６１４はＬＣＤタッチパネルのコントラストを調整するための調整キーである。
【００７４】
６１５はカウンタ確認キーであり、このキーを押下することでそれまでに仕様したコピー枚数の集計を表示するカウント画面がＬＣＤ上に表示される。
【００７５】
６１６はジョブの実行中、画像メモリへの画像蓄積中を示すＬＥＤ、６１７がジャム、ドアオープン等装置がエラー状態にあることを示すエラーＬＥＤ、６１８は装置のメインスイッチがＯＮになっていることを示す電源ＬＥＤになっている。
【００７６】
（本発明の他の実施形態）
本発明は複数の機器（例えば、ホストコンピユータ、インタフェース機器、リーダー、プリンタ、外部記憶装置、ビデオカメラ、マイク等）から構成されるシステムに適用しても１つの機器からなる装置に適用しても良い。
【００７７】
また、上述した実施の形態の機能を実現するように各種のデバイスを動作させるように、上記各種デバイスと接続された装置あるいはシステム内のコンピユータに対し、上記実施の形態の機能を実現するためのソフトウェアのプログラムコ―ドを供給し、そのシステムあるいは装置のコンピユータ（ＣＰＵあるいはＭＰＵ）に格納されたプログラムに従って上記各種デバイスを動作させることによって実施したものも、本発明の範晴に含まれる。
【００７８】
また、この場合、上記ソフトウェアのプログラムコード自体が上述した実施の形態の機能を実現することになり、そのプログラムコード自体、及びそのプログラムコードをコンピユータに供給するための手段、例えばかかるプログラムコードを格納した記憶媒体は本発明を構成する。かかるプログラムコードを記憶する記憶媒体としては、例えばフロッピー（登録商標）ディスク、ハードディスク、光ディスク、光磁気ディスク、ＣＤ−ＲＯＭ、磁気テープ、不揮発性のメモリカード、ＲＯＭ等を用いることができる。
【００７９】
また、コンピユータが供給されたプログラムコードを実行することにより、上述の実施の形態で説明した機能が実現されるだけでなく、そのプログラムコードがコンピユータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００８０】
さらに、供給されたプログラムコードがコンピユータの機能拡張ボードやコンピユータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００８１】
【発明の効果】
以上述べたように、本発明によれば、電子文書がデータオブジェクトの実体ではなく参照をもつ形態であるため、電子文書自体は表示・出力装置の能力に非依存な形態でありつつ、データ要求する際に表示装置・出力装置の能力を文書データ配送装置に通知し、必要な形式に変換されたデータを送信するため、必要十分な容量のデータオブジェクトを配布することが可能になる。
【図面の簡単な説明】
【図１】本発明の一実施形態を示す電子文書データ配送装置、電子文書表示装置、電子文書出力装置の接続関係の一例を示す図である。
【図２】本発明の一実施形態を示す電子文書表示装置、電子文書出力装置において処理される、画像データの記述様式の一例である。
【図３】本発明の実施形態の電子文書データ配送装置に対する、画像変換要求の際に指定されるＵＲＬの一例である。
【図４】本発明の実施形態の画像変換要求の際に指定されるＵＲＬに使用されるＣＳ値の色空間定義の一例を示す表である。
【図５】本発明の実施形態の電子文書データ配送装置の処理手順の一例を示すフローチヤートである。
【図６】本発明の実施形態の電子文書データ配送装置、電子文書表示装置として使用されるコンピュータの一例を示すプロック図である。
【図７】本発明の実施形態の電子文書出力装置の構成の一例を示すブロック図である。
【図８】本発明の実施形態の電子文書出力装置の機構の一例を示す図である。
【図９】本発明の実施形態の電子文書出力装置の操作部の一例を示す図である。
【図１】
2005018526.tif 000003
【図２】
2005018526.tif 000004
【図３】
2005018526.tif 000005
【図４】
2005018526.tif 000006
【図５】
2005018526.tif 000007
【図６】
2005018526.tif 000008
【図７】
2005018526.tif 000009
【図８】
2005018526.tif 000010
【図９】
2005018526.tif 000011